(57)【特許請求の範囲】
【請求項１】
内容液を収納するボトル状容器本体と、該容器本体の口筒部に密に組付いて、定量の内容液を計量吐出する吐出キャップとから構成され、該吐出キャップを、計量室を形成する計量室体と、該計量室体内に昇降変位可能および抜け出し不能に組付き、下端部に、前記計量室の容器本体との連通口である供給口を開閉する供給側バルブ部を、反対に上端部に、前記計量室の外部への開放口である吐出口を開閉する吐出側バルブ部をそれぞれ形成し、上端に、吐出通路を形成して前記吐出口から突き出る操作片を突設したバルブ体と、から構成し、該バルブ体が計量室内で昇降変位する過程で、前記吐出口が閉じると共に供給口が開く「計量状態」、前記吐出口と供給口の両方が閉じる「計量室密閉状態」、前記吐出口が開くと共に供給口が閉じる「吐出状態」となり、前記バルブ体の供給側バルブ部の直上に、該供給側バルブ部が供給口を密閉すると共に、吐出側バルブ部が吐出口を開放した位置で、前記バルブ体の下降変位を不能とする供給側ストッパを設け、また吐出側バルブ部の直下に、該吐出側バルブ部が吐出口を密閉すると共に、供給側バルブ部が供給口を開放した位置で、前記バルブ体の上昇変位を不能とする吐出側ストッパを設けた定量吐出容器。
【請求項２】
計量室体を、容器本体の口筒部に密に組付くと共に、供給口を開口形成する中栓体と、該中栓体に密に組付いて計量室を形成すると共に、上端に吐出口を開口形成するキャップ本体と、から構成した請求項１に記載の定量吐出容器。
【請求項３】
計量室体の吐出口の開口面に係止突片を形成し、バルブ体の吐出側バルブ部の外周面に、前記係止突片に上方から乗り越え係止する係止周条を設けた請求項１または２に記載の定量吐出容器。
【請求項４】
バルブ体の操作片の外周面に、全高さ範囲に亘って、複数の縦溝状の吐出溝を形成した請求項１〜３のいずれか１項に記載の定量吐出容器。
【請求項５】
計量室体の吐出口を、該計量室体の上端に起立設した吐出筒で形成し、バルブ体の吐出側バルブ部のバルブ機能部分を、前記吐出筒内周面に密に摺接する係止周条で形成した請求項１〜４のいずれか１項に記載の定量吐出容器。
【発明の詳細な説明】
【技術分野】
【０００１】
本発明は、収納した育毛剤や化粧液等の内容液を、一回の使用量に見合った一定量を計量して吐出することができる、定量吐出容器に関するものである。
【背景技術】
【０００２】
収納した育毛剤や化粧液等の内容液を、使用の度に、一定量に計量して吐出する、定量吐出容器の従来技術として、中栓に配置された円筒部を適宜上下動させて、第一弁および第二弁を交互に開閉することにより、容器本体内の内容液を計量筒部に流し込んで計量し、この計量筒部内の内容液を、注出口から注出するようにしていた。
【特許文献１】特開２００２−３３７９１０号公報
【発明の開示】
【発明が解決しようとする課題】
【０００３】
しかしながら、上記した従来技術にあっては、第一弁が開放している計量状態から、第二弁が開放する注出状態への切り換わりに際して、両方の弁が「開」となる状態があり、このため計量した量よりも多い量の内容液が注出されることになる、と云う問題があった。
【０００４】
そこで、本発明は、上記した従来技術における問題点を解消すべく創案されたもので、定量吐出容器において、計量状態と吐出状態とが重ならないようにすることを技術的課題とし、もって正確な計量動作と、安全な吐出動作とを得ることを目的とする。
【課題を解決するための手段】
【０００５】
本発明による定量吐出容器は、内容液を収納するボトル状容器本体と、この容器本体の口筒部に密に組付いて、定量の内容液を計量吐出する吐出キャップとから構成されている。
【０００６】
吐出キャップは、計量室を形成する計量室体と、この計量室体内に昇降変位可能および抜け出し不能に組付いたバルブ体と、から構成されている。
【０００７】
バルブ体は、下端部に、計量室の容器本体との連通口である供給口を開閉する供給側バルブ部を、反対に上端部に、計量室の外部への開放口である吐出口を開閉する吐出側バルブ部をそれぞれ形成し、上端に、吐出通路を形成して吐出口から突き出る操作片を突設して構成されている。
【０００８】
計量室は、バルブ体が計量室体内で昇降変位する過程で、吐出口が閉じると共に供給口が開く「計量状態」、吐出口と供給口の両方が閉じる「計量室密閉状態」、吐出口が開くと共に供給口が閉じる「吐出状態」のいずれかになる。
【０００９】
バルブ体が上昇限に位置した状態では、計量室の吐出口は、バルブ体の吐出側バルブ部で密閉されていると共に、計量室の供給口は、バルブ体の供給側バルブ部が上方に離脱して開放され、「計量状態」となっており、バルブ体の操作片は吐出口から突出している。
【００１０】
この「計量状態」で容器を倒立させると、容器本体内の内容液が、供給口から計量室内に流下し、計量室内が内容液で満たされる。
【００１１】
この状態（容器を倒立させた状態）のままで、突出しているバルブ体の操作片を頭皮等の被塗布面に押付けて、計量室体内に押し込み、バルブ体を計量室体に対して上昇変位させる。
【００１２】
このバルブ体の上昇限まで変位した状態では、計量室の供給口は、バルブ体の供給側バルブ部で密閉されると共に、計量室の吐出口は、バルブ体の吐出側バルブ部が上方に離脱して開放され、「吐出状態」となり、計量室内の一定量に計量された内容液が、吐出口から吐出されて、被塗布面に塗布される。
【００１３】
この「計量状態」から「吐出状態」への切り換わりの途中では、供給口と吐出口の両方が密閉される「計量室密閉状態」となる。
【００１４】
このため、吐出口が開放される「吐出状態」では、必ず、供給口が密閉されているので、吐出されるのは、一定量に計量された内容液だけとなる。
【００１５】
同様に、「計量状態」では、必ず吐出口が密閉されているので、計量動作状態で、内容液が吐出口から漏れ出ることがない。
【００１６】
上記構成に加えて、バルブ体の供給側バルブ部の直上に、この供給側バルブ部が供給口を密閉すると共に、吐出側バルブ部が吐出口を開放した位置で、バルブ体の下降変位を不能とする供給側ストッパを設け、また吐出側バルブ部の直下に、この吐出側バルブ部が吐出口を密閉すると共に、供給側バルブ部が供給口を開放した位置で、バルブ体の上昇変位を不能とする吐出側ストッパを設けている。
【００１７】
バルブ体に、供給側ストッパおよび吐出側ストッパを設けているので、計量室体に対するバルブ体の昇降変位可能な組付き状態を、安定したものとすることができ、また「計量状態」および「吐出状態」のセッチングや保持が容易となる。
【００１８】
また、本発明の別の構成は、計量室体を、容器本体の口筒部に密に組付くと共に、供給口を開口形成する中栓体と、この中栓体に密に組付いて計量室を形成すると共に、上端に吐出口を開口形成するキャップ本体と、から構成した、ことにある。
【００１９】
計量室体を、中栓体とキャップ本体とから構成したものにあっては、計量室体に対するバルブ体の、昇降変位可能で抜け出し不能な組付けを簡単に得ることができ、その分、バルブ体の構造が簡単となる。
【００２０】
また、本発明の別の構成は、計量室体の吐出口の開口面に係止突片を形成し、バルブ体の吐出側バルブ部の外周面に、係止突片に上方から乗り越え係止する係止周条を設けた、ことにある。
【００２１】
吐出口に係止突片を、吐出側バルブ部に係止周条を設けたものにあっては、係止突片と係止周条との係止により、「計量状態」を保持するので、「計量状態」でのバルブ体の不要な変位の発生を防止する。
【００２２】
また、本発明の別の構成は、バルブ体の操作片の外周面に、全高さ範囲に亘って、複数の縦溝状の吐出溝を形成した、ことにある。
【００２３】
バルブ体の操作片に吐出溝を設けたものにあっては、操作片の被塗布面への押付けに関わりなく、計量した内容液を円滑に吐出させる通路が、確保される。
【００２４】
また、本発明の別の構成は、計量室体の吐出口を、この計量室体の上端に起立設した吐出筒で形成し、バルブ体の吐出側バルブ部のバルブ機能部分を、吐出筒内周面に密に摺接する係止周条で形成した、ことにある。
【００２５】
吐出口を吐出筒で構成すると共に、吐出側バルブ部のバルブ機能部分を係止周条で構成したものにあっては、吐出側バルブ部が吐出口を密閉しているストロークが大きくなり、これにより「計量状態」と「吐出状態」との切り換えストロークを大きくすることができる。
【発明の効果】
【００２６】
本発明は、上記した構成となっているので、以下に示す効果を奏する。
本発明にあっては、供給口と吐出口とが同時に開放する状態となることが絶対になく、かつ「計量状態」から「吐出状態」への切り換わりの途中で、供給口と吐出口の両方が密閉される「計量室密閉状態」となるので、計量した内容液の安定して正確な吐出を得ることができると共に、安全で正確な計量動作を得ることができる。
【００２７】
バルブ体に、供給側ストッパおよび吐出側ストッパを設けているので、バルブ体を安定して昇降変位させることができると共に、「計量状態」と「吐出状態」のセッチングや保持が容易となり、「計量状態」と「吐出状態」の切り換えを、円滑にかつ確実にそして正確に達成することができる。
【００２８】
計量室体を、中栓体とキャップ本体とから構成したものにあっては、計量室体に対するバルブ体の、昇降変位可能で抜け出し不能な組付けを簡単に得ることができるので、吐出キャップを簡単に構成することができる。
【００２９】
吐出口に係止突片を、吐出側バルブ部に係止周条を設けたものにあっては、「計量状態」でのバルブ体の不要な変位の発生を防止するので、計量時における内容液の漏出を、確実に阻止し、安全な計量動作を得ることができる。
【００３０】
バルブ体の操作片に吐出溝を設けたものにあっては、計量した内容液を円滑に突出させる通路を、確保することができるので、操作片の被塗布面への押付けに関わりなく、内容液の安定して円滑な吐出を得ることができる。
【００３１】
吐出口を吐出筒で構成すると共に、吐出側バルブ部のバルブ機能部分を係止周条で構成したものにあっては、「計量状態」と「吐出状態」との切り換えストロークを大きくすることができるので、適正で安定した「計量状態」と「吐出状態」との切り換え動作を得ることができる。
【発明を実施するための最良の形態】
【００３２】
以下、本発明の一実施形態例を、図面を参照しながら説明する。
【００３３】
図１〜図３は、外キャップ３５の螺脱動作に伴う吐出キャップ４の状態切り換わり変化を示す、要部縦半断面図、図４〜図９は、吐出キャップ４の切り換わり状態を示す説明図である。
【００３４】
育毛剤等の内容液Ｎを収納する、ボトル状の容器本体１の口筒部２には、外周面に螺条が、そして上端に、外周面に係合溝を周設した係合筒片３が設けられており、この係合突片３に係合した状態で、内容液Ｎを一定量計量して吐出する吐出キャップ４を取付け、また螺条との螺合により、吐出キャップ４を覆う外キャップ３５を着脱可能に組付けている。
【００３５】
外キャップ３５（以下、図１ないし図３参照）は、平円板状の天板３６の周端から、口筒部２に螺合する螺合筒３７を垂下設すると共に、天板３６の下面中央部に、吐出キャップ４の吐出筒２２に密に外嵌する栓筒片３９と、バルブ体２４の操作片３１に嵌入係合する係合片４０とを設け、さらに天板３６の周端から、螺合筒３７を囲んで、外キャップ３５の外観を整える外筒３８を垂下設している。
【００３６】
吐出キャップ４（以下、特に図５、図７、図９参照）は、容器本体１の口筒部２に密に組付くと共に、下側に、容器本体１内との連通口である供給口１２を、反対に上側に、外部への開放口である吐出口２１を開口形成して、一定容積の計量室Ｋを形成する計量室体５と、この計量室体５内に昇降変位可能に組付いて、供給口１２および吐出口２１を開閉すると共に、吐出口２１から上端部の操作片３１を突出させたバルブ体２４とから構成されている。
【００３７】
計量室体５は、口筒部２に密に組付く、下半分の中栓体６と、この中栓体６に密に組付いて計量室Ｋを形成する、上半分のキャップ本体１５とを組合わせて構成されている。
【００３８】
中栓体６は、口筒部２の係合筒片３上に位置する本体筒７の内側下端から、係合筒片３に密嵌入する嵌着筒片１０を垂下設すると共に、本体筒７の内周面下端部に円形リング板状の内鍔片１１を周設し、この内鍔片１１の内周縁から供給口１２を形成する脚筒片１３ａを垂下設しており、この脚筒片１３ａの下端には、複数の脚片１３を介して、中央部に起立状に位置する棒片１４が連設されている。
【００３９】
なお、本体筒７は、外周面に係止突片を設けた、下半分の係止筒部８と、外周面に複数のシール条を設けた、上半分の密嵌筒部９とから構成されている。
【００４０】
キャップ本体１５は、中栓体６の本体筒７に、密に外嵌して係止組付きする主体筒１６の上端に、上端にドーム状の頂壁片２０を連設した計量筒部１９を起立連設し、頂壁片２０の中央部に、吐出口２１を開口形成する吐出筒２２を起立設している。
【００４１】
なお、主体筒１６は、中栓体６の係止筒部８に乗り越え係止すると共に、口筒部２の係合筒片３に乗り越え係止する、下半分の組付き筒部１７と、中栓体６の密嵌筒部９に密に外嵌する、上半分の密着筒部１８とから構成されており、また吐出筒２２の内周面には、上側の内周面をわずかに拡径させる段部構造の係止突片２３が形成されている。
【００４２】
バルブ体２４は、全体が円筒形状をしていて、主体部分のバルブ筒２５と、このバルブ筒２５の上端に、わずかに縮径して起立連設された操作片３１とから構成されている。
【００４３】
バルブ筒２５は、その下端部を、脚筒片１３ａすなわち供給口１２に嵌入可能に形成された供給側バルブ部２６に構成すると共に、その上端部を、吐出筒２２すなわち吐出口２１に嵌入可能に形成された吐出側バルブ部２７に構成している。
【００４４】
供給側バルブ部２６の外周面下端には、供給口１２に密摺接してバルブ機能部分を形成するシール周条２６ａが設けられており、同様に、吐出側バルブ部２７の外周面上端には、吐出口２１に密摺接してバルブ機能部分を形成する係止周条２８が設けられている。
【００４５】
この吐出側バルブ部２７の上端部に設けられてシール条として機能する突出高さの低い係止周条２８は、「計量状態」時に、吐出筒２２の係止突片２３に密に係止することにより、バルブ体２４の姿勢を安定して保持する。
【００４６】
また、供給側バルブ部２６の上端に位置するバルブ筒２５部分には、外鍔状の供給側ストッパ２９が設けられていて、この供給側ストッパ２９が計量室体５の内鍔片１１に突き当たることにより、バルブ体２４の下降変位限を設定する。
【００４７】
同様に、吐出側バルブ部２７の下端に位置するバルブ筒２５部分には、拡径段状の吐出側ストッパ３０が設けられていて、この吐出側ストッパ３０が計量室体５の吐出口２１縁に突き当たることにより、バルブ体２４の上昇変位限を設定する。
【００４８】
吐出側バルブ部２７の上端に起立連設された操作片３１は、吐出筒２２よりも大きい高さを有し、その内部に閉鎖壁３２を設けて、バルブ体２４の内部を外部に対して閉鎖しており、そして外周面に、全高さ範囲に亘って四本の縦溝状の吐出溝３３を設けている。なお、操作片３１は、吐出筒２２と同じ高さでも良いと共に、縦溝状の吐出溝３３は六本でも良い。
【００４９】
この操作片３１の、閉鎖壁３２よりも上側の上端部の内周面上端部には、外キャップ３５の係合片４０が、計量室体５とバルブ体２４との間に発生する摺動抵抗力よりも大きい係止力で係止する係止片３４が突設されており、この係止片３４の係合片４０との係止を保持すべく、係合片４０に嵌合する突片が閉鎖壁３２の上面中央に突設されている。
【００５０】
なお、閉鎖壁３２の下面には、棒片１４に緩く外嵌するガイド筒片３２ａが垂下設されており、このガイド筒片３２ａの棒片１４に対する摺動により、バルブ体２４の計量室体５に対する昇降変位動作を安定させている。
【００５１】
計量室体５とバルブ体２４とから成る吐出キャップ４において、下降してきたバルブ体２４のシール周条２６ａが、最初に接触する脚筒片１３ａ部分であるシール周条初接触部分から、上昇してきたバルブ体２４の係止周条２８が、最初に接触する吐出筒２２部分である係止周条初接触部分までの距離を口間距離ａとし、バルブ体２４の供給側バルブ部２６のシール周条２６ａから吐出側バルブ部２７の係止周条２８までの距離をバルブ間距離ｂとし、このバルブ間距離ｂは、口間距離ａと等しいか、それより大きい値に設定している。
【００５２】
このように、図示実施例にあっては、バルブ間距離ｂを、口間距離ａと等しいか、それよりも大きい値に設定することにより、シール周条２６ａが供給口１２に密摺接すると共に、係止周条２８が吐出口２１に密摺接する状態、すなわち「計量室密閉状態」を出現させることができるようにしている。
【００５３】
次に、内容液Ｎの吐出動作を説明する。
図１に示した、容器本体１に外キャップ３５が螺着した、容器の閉鎖状態においては、バルブ体２４が下降限に位置して供給口１２を閉鎖しており、また外キャップ３５の栓筒片３９が吐出キャップ４の吐出筒２２に密に外嵌して、吐出口２１を塞ぎ、そして外キャップ３５の係合片４０がバルブ体２４の係止片３４に係止している。
【００５４】
この状態から、容器本体１に対して外キャップ３５を螺脱上昇させると（図２参照）、係止片３４と係合片４０との係止により、バルブ体２４も一緒に上昇限まで上昇して、バルブ体２４が、供給口１２を開放すると共に、吐出口２１を閉鎖する。
【００５５】
さらに、容器本体１に対して外キャップ３５を完全に螺脱するまで上昇させると（図３参照）、上昇限に位置したバルブ体２４は上昇変位できないので、係止片３４と係合片４０との係止が解除される。
【００５６】
外キャップ３５を螺脱させた容器本体１を倒立させると（図４と図５参照）、容器本体１内の内容液Ｎが、開放された供給口１２から計量室Ｋ内に流入して、「計量状態」となり、吐出する内容液Ｎを計量する。
【００５７】
この状態から、容器本体１を倒立姿勢にしたまま、頭皮等の被塗布面Ｔに操作片３１を押付ける等して押し込むと（図６と図７参照）、計量室体５に対してバルブ体２４が相対的に下降変位（図においては上昇変位）する。
【００５８】
このバルブ体２４の変位により、口間距離ａとバルブ間距離ｂとの関係から、バルブ体２４の吐出側バルブ部２７が、吐出口２１を開放するのに先立って、供給側バルブ部２６が供給口１２を閉鎖し、供給口１２と吐出口２１の両方が閉鎖されて「計量室密閉状態」となり、内容液Ｎの計量が完了する。
【００５９】
この状態から、さらに操作片３１の押し込みを押し進めて、バルブ体２４を下降（図においては上昇）限まで変位させると（図８と図９参照）、供給口１２が閉鎖され、吐出口２１が開放される「吐出状態」となり、計量室Ｋ内の一定量に計量された内容液Ｎが、吐出口２１から被塗布面Ｔ上に吐出されて塗布される。
【００６０】
このように、計量した内容液Ｎを吐出させるための、「計量状態」から「吐出状態」への切り換えに際しては、必ず、供給口１２と吐出口２１の両方が閉じる「計量室密閉状態」となって、供給口１２と吐出口２１とが同時に開くことがないので、計量された内容液Ｎ以外の内容液Ｎが吐出されることは、全くない。
【００６１】
操作片３１の外周面に、内容液Ｎの吐出用通路を形成する吐出溝３３が設けられているので、操作片３１を被塗布面Ｔに押付けたとしても、この押付けが内容液Ｎの吐出に邪魔となることがない。
【図面の簡単な説明】
【００６２】
【図１】外キャップの螺着状態での、要部を縦半断した全体図である。
【図２】外キャップの螺脱途中の、要部を縦半断した全体図である。
【図３】外キャップの螺脱時の、要部を縦半断した全体図である。
【図４】「計量状態」の容器本体を示す、全体外観図である。
【図５】図４の要部を拡大図示した、拡大縦断面である。
【図６】状態切り換えの途中の容器本体を示す、全体外観図である。
【図７】図６の要部を拡大図示した、拡大縦断面である。
【図８】「吐出状態」の容器本体を示す、全体外観図である。
【図９】図８の要部を拡大図示した、拡大縦断面である。
【符号の説明】
【００６３】
１  ；容器本体
２  ；口筒部
３  ；係合筒片
４  ；吐出キャップ
５  ；計量室体
６  ；中栓体
７  ；本体筒
８  ；係止筒部
９  ；密嵌筒部
１０；嵌着筒片
１１；内鍔片
１２；供給口
１３；脚片
１３ａ；脚筒片
１４；棒片
１５；キャップ本体
１６；主体筒
１７；組付き筒部
１８；密着筒部
１９；計量筒部
２０；頂壁片
２１；吐出口
２２；吐出筒
２３；係止突片
２４；バルブ体
２５；バルブ筒
２６；供給側バルブ部
２６ａ；シール周条
２７；吐出側バルブ部
２８；係止周条
２９；供給側ストッパ
３０；吐出側ストッパ
３１；操作片
３２；閉鎖壁
３２ａ；ガイド筒片
３３；吐出溝
３４；係止片
３５；外キャップ
３６；天板
３７；螺合筒
３８；外筒
３９；栓筒片
４０；係合片
Ｋ  ；計量室
Ｎ  ；内容液
Ｔ  ；被塗布面
ａ  ；口間距離
ｂ  ；バルブ間距離
【図１】
0005229542.tif 000002
【図２】
0005229542.tif 000003
【図３】
0005229542.tif 000004
【図４】
0005229542.tif 000005
【図５】
0005229542.tif 000006
【図６】
0005229542.tif 000007
【図７】
0005229542.tif 000008
【図８】
0005229542.tif 000009
【図９】
0005229542.tif 000010